(57)【特許請求の範囲】
【請求項１】
光伝送路を介して時分割で送信および受信を行う光伝送装置であって、少なくとも、
発光波長が電気的に可変な発光部と、
受光部とを備えており、かつ、前記光伝送装置と光伝送路との結合部側から、前記発光波長が電気的に可変な発光部、前記受光部の順に、同一光軸上で縦列接続した光伝送装置において、
前記発光部には、当該発光部から発光される光の波長を電気的に制御する電気的波長制御部が接続されており、かつ、
前記電気的波長制御部は、前記光伝送装置の光送信時には、前記発光部に発光波長を設定し、前記光伝送装置の光受信時には、前記発光波長より短い値を設定することを特徴とする光伝送装置。
【請求項２】
請求項１記載の光伝送装置において、
前記発光部および前記受光部は同一半導体基板上に形成したことを特徴とする
光伝送装置。
【請求項３】
光伝送路を介して時分割で送信および受信を行う光伝送装置であって、
複数の発光波長が電気的に可変な発光部と、
複数の受光部を備えており、かつ、前記光伝送装置と前記光伝送路との結合部側から、それぞれ、前記発光波長が電気的に可変な発光部、前記受光部の順で、かつ、受光波長の短い順に、同一光軸上で縦列接続した光伝送装置において、
前記受光波長が電気的に可変な受光部の各々には、当該発光部から発光される光の波長を電気的に制御する電気的波長制御部が接続され、かつ、
前記各電気的波長制御部は、前記光伝送装置の光送信時には、前記発光部に発光波長を設定し、前記光伝送装置の光受信時には、前記発光波長より短い値を設定することを特徴とする光伝送装置。
【請求項４】
請求項３記載の光伝送装置において、
前記複数の受光部は同一半導体基板上に形成したことを特徴とする光伝送装置。
【請求項５】
請求項１乃至４の何れか一に記載の光伝送装置を光伝送路と接続してなる光ネットワークにおいて、
少なくとも一つのデータ、及び、少なくとも一つのクロックを、それぞれ、異なる波長光を用いて伝送することを特徴とする光ネットワーク。
【請求項６】
請求項５記載の光ネットワークにおいて、
前記光受信部は、少なくとも一つの利得、又は、しきい値が可変の増幅部と、前記利得または前記しきい値の制御部とを備え、
前記制御部は、前記クロックを伝送する波長の受信信号振幅に基づいて、前記
増幅部を制御することを特徴とする光ネットワーク。
【請求項７】
波長多重を用いた光ネットワークであって、少なくとも、
光送信器と、
光受信器とを備え、
前記光送信器及び前記光受信器は、前記請求項３乃至４の何れか一に記載の光伝送装置により構成されたものにおいて、
前記光送信器では、前記複数の発光部は、前記光送信器と光伝送路との第１の結合部より発光波長の短い順に同一光軸上で縦列接続され、かつ、
前記光受信器では、前記複数の受光部は、前記光受信器と前記光伝送路との第２の結合部より受光波長の短い順に同一光軸上で縦列接続され、
前記電気的波長制御部は、前記第２の結合部の遠端でない前記波長が電気的に可変の受光部には受信波長より短い値を設定し、前記第２の結合部の遠端の前記波長が電気的に可変の受光部には受信波長を設定することを特徴とする光ネットワーク。
【請求項８】
請求項７記載の光ネットワークにおいて、
前記光受信器は、波長多重された信号中の予め定められた波長の信号を受信するように設定された受光部を備え、
前記波長制御部は、前記予め定められた波長の信号に含んだ制御情報を用いて前記波長が電気的に可変の受信波長を設定することを特徴とする光ネットワーク。
【請求項９】
請求項８記載の光ネットワークにおいて、
前記光送信器は、情報源と、その情報源の信号を送出する第１の発光部と、制御信号源と、その制御信号源の制御信号を前記予め定められた波長で送出する第２の発光部とを備え、
前記制御信号は、第１の発光部の波長を示す信号を含むことを特徴とする光ネットワーク。
【請求項１０】
請求項７記載の光ネットワークにおいて、
前記光受信器は、波長多重された信号中の最も短い波長の信号を受信するように設定された受光部を備え、
前記電気的波長制御部は、前記最も短い波長の信号中に含んだ制御情報を用いて前記波長が電気的に可変の受信波長を設定することを特徴とする光ネットワーク。
【請求項１１】
請求項１０記載の光ネットワークにおいて、
前記光送信器は、情報源と、その情報源の信号を送出する第１の発光部と、制御信号源と、その制御信号源の制御信号を前記最も短い波長で送出する第２の発光部とを備え、
前記制御信号は、第１の発光部の波長を示す信号を含むことを特徴とする光ネットワーク。
【請求項１２】
請求項７記載の光ネットワークにおいて、
前記光受信器は、波長多重された信号中の最も長い波長の信号を受信するように設定された受光部を備え、
前記電気的波長制御部は、前記最も長い波長の信号中に含んだ制御情報を用いて前記波長が電気的に可変の受信波長を設定することを特徴とする光ネットワーク。
【請求項１３】
請求項１２記載の光ネットワークにおいて、
前記光送信器は、情報源と、その情報源の信号を送出する第１の発光部と、制御信号源と、その制御信号源の制御信号を前記最も長い波長で送出する第２の発光部とを備え、
前記制御信号は、第１の発光部の波長を示す信号を含むことを特徴とする光ネットワーク。
【請求項１４】
請求項７記載の光ネットワークにおいて、
前記光ネットワークは、親局と少なくとも一つの子局とからなり、
前記親局は、前記光送信器と前記光受信器と前記光ネットワーク中で使用する波長を前記子局へ割り当てる制御情報を定める制御情報発生部とを備え、
前記子局は、前記光送信器と前記光受信器とを備え、かつ、
前記子局の前記光送信器は、前記複数の発光部のうち少なくとも１つは波長が電気的に可変の発光部であって、
前記子局の前記光受信器は、波長多重された信号中の予め定められた波長の信号を受信するように設定された受光部を備え、
前記子局の前記波長制御部は、前記親局より前記子局へ伝送される前記予め定められた波長の信号に含んだ前記制御情報を用いて前記波長が電気的に可変の発光部および前記波長が電気的に可変の受信波長を設定することを特徴とする光ネットワーク。
【請求項１５】
請求項７記載の光ネットワークにおいて、
前記光ネットワークは、親局と少なくとも一つの子局とからなり、
前記親局は、前記光送信器と前記光受信器と前記光ネットワーク中で使用する波長を前記子局へ割り当てる制御情報を定める制御情報発生部とを備え、
前記子局は、前記光送信器と前記光受信器とを備え、かつ、
前記子局の前記光送信器は、前記複数の発光部のうち少なくとも１つは波長が電気的に可変の発光部であって、
前記子局の前記光受信器は、波長多重された信号中の最も短い波長の信号を受信するように設定された受光部を備え、
前記子局の前記波長制御部は、前記親局より前記子局へ伝送される前記最も短い波長の信号に含んだ前記制御情報を用いて前記波長が電気的に可変の発光部および前記波長が電気的に可変の受信波長を設定することを特徴とする光ネットワーク。
【請求項１６】
請求項１０記載の光ネットワークにおいて、
前記光ネットワークは、親局と少なくとも一つの子局とからなり、
前記親局は、前記光送信器と前記光受信器と前記光ネットワーク中で使用する波長を前記子局へ割り当てる制御情報を定める制御情報発生部とを備え、
前記子局は、前記光送信器と前記光受信器とを備え、かつ、
前記子局の前記光送信器は、前記複数の発光部のうち少なくとも１つは波長が電気的に可変の発光部であって、
前記子局の前記光受信器は、波長多重された信号中の最も長い波長の信号を受信するように設定された受光部を備え、
前記子局の前記波長制御部は、前記親局より前記子局へ伝送される前記最も長い波長の信号に含んだ前記制御情報を用いて前記波長が電気的に可変の発光部および前記波長が電気的に可変の受信波長を設定することを特徴とする光ネットワーク。
【発明の詳細な説明】
【０００１】
【発明の属する技術分野】
本発明は、光伝送装置および光ネットワークに係り、特に時分割多重または波長多重による光伝送装置および光ネットワークに関わる。
【０００２】
【従来の技術】
従来の光伝送装置において、１本の光ファイバーで波長多重された光信号を伝送するためには、以下に示す構成をとることが多い。すなわち、多重する波長数がｎ個の場合、光ファイバーに光パワーをｎ分岐する光分岐デバイスを接続し、ｎ分岐された出力に１波長のみを透過する光フィルタを接続し、その先に光送信または受信デバイスを接続する構成である。また、光分岐デバイスと光フィルタを兼ねる波長多重デバイスが用いられる場合もある。いずれにしても、光送信または受信デバイスが並列に配置されていることが特徴である。
【０００３】
また、１波長のみを使用し、１本の光ファイバーで時分割で送受信を行う光伝送装置においては、光ファイバーからの信号を光分岐デバイスで２分岐し、それぞれ光送信デバイスおよび光受信デバイスと接続する。
【０００４】
上述した光分岐デバイスは、分岐当り少なくとも３ｄＢの光パワー損失を生じるため、光受信器の最大光出力パワーまたは光受信器の最小受光パワーを光デバイスの実力より劣化させる。この劣化量は光分岐デバイスの分岐数が大きい場合、すなわち多重する波長数が多い場合特に顕著となる。
【０００５】
一方、光分岐デバイスと光フィルタが一体化された波長多重デバイスは、前記光分岐デバイスに比べて光損失は小さいが、それでも１ｄＢ弱の光損失を伴う場合があり、やはり光送信器の最大光出力パワーまたは光受信器の最小受光パワーを光デバイスの実力より劣化させる。
【０００６】
これに対して、特公平６-３２３２５号公報に記載の光合分波器では、光ファイバの光軸上に発光部および非励起部が発光した光の伝搬方向に併設された半導体発光素子を合波もしくは分波すべき周波数の数だけ有し、半導体発光素子のそれぞれを発光部の発光波長の短い順に配置し、光合分波器の制作時の調整を簡略化できると、述べられている。
【０００７】
この光合分波器によれば、光分岐デバイスと光フィルタとの組合せまたは波長多重デバイスを使用することなく、半導体の波長による透過・吸収特性を利用して光の合波および分波が可能で、光の合波については光損失が少ないが、光の分波については光が発振域を通過する間に発振域での光吸収による光損失がある欠点が残っている。また、光伝送に使用可能な波長は、半導体の製造条件に依存し固定波長であるため、２地点間の固定的な双方向通信に用途が限定されるという欠点がある。
【０００８】
波長多重された信号から任意の１波長を選択して取り出す方法に関して、例えば透過波長の異なる光フィルタを機械的に切り換える方法や、「1.55μm  4×4 ポリマー  熱−光  方向性結合器スイッチ」(エレクトロニクスレターズ vol.30 No.8, 1994, pp639〜640)に記載されている温度制御による方法が知られているが、部品容積が大きく、高価でしかも切り替えに速くともミリ秒単位の時間を要するため、高速信号切り替えに適用できない問題点がある。ところが、近年「伸長歪みＩｎＧａＡｓ／ＩｎＡｌＡｓ  ＭＱＷ電界吸収型光変調器」(電子情報通信学会技術報告ＯＱＥ−９３−４４)に記載があるように受光部への印加電圧を変えることによってバンドギャップを変える技術が提案されてきた。
【０００９】
また、発光波長を可変とする技術も「櫛形電極ＤＢＲレーザ(ＴＩＥ−ＤＢＲ−ＬＤ)による単電極連続波長チューニング」(１９９５年電子情報通信学会エレクトロソサイエティ大会Ｃ−２０８)に記載されている発光部への注入電流を変えて屈折率を変える手段が提案されてきた。
【００１０】
【発明が解決しようとする課題】
上述した特公平６-３２３２５号公報に記載の光合分波器によれば、半導体の波長による透過・吸収特性を利用して光の合波および分波が可能である。しかし、光の合波については光損失が少ないが、光の分波については光が発振域を通過する間に発振域での光吸収による光損失がある欠点が残っている。また、光伝送に使用可能な波長は、半導体の製造条件に依存し固定波長であるため、２地点間の固定的な双方向通信に用途が限定されるという欠点がある。この欠点を補い多地点間での双方向通信を行うためには、半導体製造工程においてバンドギャップを設定する必要があり、大量生産できないため価格が高くなるという欠点がある。
【００１１】
また、上述した従来技術には、波長多重伝送において一旦定めた波長数を拡充することに特段の記載がなく、拡充するためには光合分波器を取り替える必要がある。しかし、波長数の増加は、今後、伝送システムのユーザから要求があれば対応しなければならない。
【００１２】
本願発明の第１の目的は、上述した光損失のない光伝送装置および光ネットワークを得ることにある。
【００１３】
本願発明の第２の目的は、上述した大量生産できないため価格が高くなるという欠点をなくし、低価格な光伝送装置および光ネットワークを得ることにある。
【００１４】
本願発明の第３の目的は、波長多重伝送において、システムの拡充性に優れた光伝送装置および光ネットワークを提供することにある。
【００１５】
【課題を解決するための手段】
１波長のみを使用し、時分割で送受信を行う光伝送装置において、同一光軸上に光ファイバー、光送信デバイス、光受信デバイスの順に配置する構成をとることにより、前記第１および第２の目的を解決することができる。光信号送信時は光送信デバイスを発光させ、光信号は光ファイバーおよび光受信デバイスに入射される。この時光受信デバイスを送信光パワーのモニター素子として利用できる。一方、光信号受信時は光送信デバイスに適切なバイアス電圧を与えることによりバンドギャップエネルギーを広げる。光ファイバーから出射される受信光信号はバンドギャップエネルギーの広げられた光送信デバイスを透過して、光受信デバイスに入射する。ここで、光送信デバイスに与えるバイアス電圧を調整することで、光送信デバイスを光アンプとして動作させ、最小受光電力を向上させる手段として利用できる。同様に、同一光軸上に光ファイバー、光受信デバイス、光送信デバイスの順で配置する方法も可能である。また、これによれば、光受信デバイス、光送信デバイスの大量生産が可能であり、低価格な光伝送装置および光ネットワークを得ることができる。
【００１６】
前記第３の目的は、バンドギャップエネルギーを可変できる少なくとも２つの光受信デバイスを縦列接続する構成により解決される。ここで、光ファイバーに近い方の第１の光受信デバイスのバンドギャップエネルギーを調整して、受信したい波長に対応するバンドギャップエネルギーより大きく、かつ受信光に含まれる受信したい波長より波長の短い光に対応するバンドギャップエネルギーより小さい値を設定する。これにより、第１の光受信デバイスは受信したい波長より短い波長の光をすべて吸収し、受信したい波長および受信したい波長より長い波長の光を透過する。光ファイバーに遠い方の第２の光受信デバイスのバンドギャップエネルギーを調整して、受信したい波長に対応するバンドギャップエネルギーの値と一致させる。これにより、第２の光受信デバイスから受信したい波長の光信号のみを選択的に受信できる。光受信デバイスは、バンドギャップエネルギーを可変できるので、これを用いれば拡充性に優れた光伝送装置および光ネットワークを得ることができる。
【００１７】
【発明の実施の形態】
以下、本発明の実施の形態を図１ないし図１０により説明する。
図１ないし図７の本発明の実施の形態は光伝送装置であり、図８ないし図１０は、本発明の他の実施の形態である光ネットワークである。
【００１８】
(実施例１)
実施例１は１本の光ファイバーで送信および受信を行う光伝送装置の構成を示す図である。
本実施例は、伝送路である光ファイバー３０ａ、光ファイバー３０ｂ、光受信デバイス３１、光送信デバイス３２、光受信器３３、光導波路３４、プリアンプ３５、ポストアンプ３６、識別器３７、駆動回路３８、バイアス可変回路３９、情報源４０より構成される。光ファイバー３０ａ、光送信デバイス３２、光導波路３４、光受信デバイス３１、光ファイバー３０ｂ、光受信器３３は同一光軸上に配置されている。
光受信デバイス３１、光送信デバイス３２は時分割で動作し、同一波長λ１で送受信する。光送信デバイス３２はバイアス可変回路３９から駆動回路３８を介して与えられるバイアス電圧によってバンドギャップを変えることができる。この原理は、前述した電界吸収型変調器で受光部への印加電圧を変えることで波長を変える作用と同じ原理に基づくものである。
【００１９】
光受信デバイス３１が信号を受信する時間には波長λ１を透過させるバンドギャップが与えられ、光送信デバイス３２が送信する時間には波長λ１を発光するバンドギャップが与えられる。
【００２０】
また、光受信器３３は波長λ１より長い波長λ２の信号を受信するよう設計されている。例えば、波長λ１を１．３ミクロン帯の波長とし、波長λ２を１．５ミクロン帯の波長とすれば良い。光受信デバイス３１が信号を受信する時間には、光ファイバー３０ａより波長λ１および波長λ２の信号が多重されて伝送されてくる。波長λ１の信号は光送信デバイス３２、光導波路３４を透過し、光受信デバイス３１で吸収されて電気信号に変換され、プリアンプ３５、ポストアンプ３６、識別器３７にて整形される。したがって、波長λ２の信号のみ光送信デバイス３２、光導波路３４、光受信デバイス３１、光ファイバー３０ｂを透過して光受信器３３に到達し受信される。
【００２１】
光送信デバイス３２が送信する時間には、情報源４０の発生する信号は駆動回路３８により光送信デバイス３２に与えられ、波長λ１の信号が光ファイバー３０ａおよび光導波路３４の両方向へ送信される。光導波路３４の方向へ送信された光は光受信デバイス３１で吸収されて電気信号に変換されプリアンプ３５で増幅される。プリアンプ３５の出力電圧で駆動回路３８の出力電流を制御し、光送信デバイス３２の送信光電力が一定になるように自動制御を行う。この時波長λ２の信号は光送信デバイス３２、光導波路３４、光受信デバイス３１、光ファイバー３０ｂを透過するので光受信器３３の受信には影響がない。
【００２２】
本実施例では、送信波長は波長λ１のみ、一方受信波長は波長λ１および波長λ２の２波長の例であるが、送信波長および受信波長とも波長λ１のみであってもよい。この場合光受信器３３は不要である。
【００２３】
本実施例によれば、光伝送装置が送信中には、光送信デバイス３２のバンドギャップは波長λ１を発光するバンドギャップが与えられ、光伝送装置が受信中には、光受信デバイス３１より、伝送路である光ファイバー３０ａに近い光送信デバイス３２のバンドギャップは、波長λ１を透過するバンドギャップが与えられるため光損失がないという効果がある。
【００２４】
また、本実施例では、光送信デバイス３２から送信した信号を光受信デバイス３１でモニターし、一定出力に制御できるという効果を有する。
【００２５】
（実施例２）
図２を用いて、本発明の実施例２を説明する。
実施例２は１本の光ファイバーで送信および受信を行う他の光伝送装置の構成である。
図２の構成は、図１からバイアス可変回路のみを除いた構成で光受信デバイス３１と光送信デバイス３２を別波長で動作させる例である。
【００２６】
本実施例は、伝送路である光ファイバー３０ａ、光ファイバー３０ｂ、光受信デバイス３１、光送信デバイス３２、光受信器３３、光導波路３４、プリアンプ３５、ポストアンプ３６、識別器３７、駆動回路３８、情報源４０より構成される。光ファイバー３０ａ、光送信デバイス３２、光導波路３４、光受信デバイス３１、光ファイバー３０ｂ 、光受信器３３は同一光軸上に配置されている。
【００２７】
光送信デバイス３２を波長λ１で送信させ、光受信デバイス３１は波長λ１より長い波長λ２の信号を受信させる送受信器では、波長λ２は光送信デバイス３２を透過するので光受信デバイス３１の受信には影響がない。波長λ１および波長λ２より長い波長λ３の信号は光受信デバイス３１と光送信デバイス３２を透過するので、光受信器３３は波長λ３の信号を受信させる。
【００２８】
この実施例では、１つの波長の伝送時間を送受信で分け合う必要がないため伝送容量の拡大が図ることができる。また、光デバイスのバンドギャップを動的に制御する必要がないため、回路が簡単になる利点がある。
【００２９】
（実施例３）
図３を用いて、本発明の実施例３を説明する。
実施例３は１本の光ファイバーで送信および受信を行う他の光伝送装置の構成である。
図３の構成は、図２の光送信デバイスと光受信デバイスとの順序を入れ替えた構成で、光受信デバイス３１と光送信デバイス３２を別波長で動作させる例である。
【００３０】
本実施例は、伝送路である光ファイバー３０ａ、光ファイバー３０ｂ、光受信デバイス３１、光送信デバイス３２、光受信器３３、光導波路３４、プリアンプ３５、ポストアンプ３６、識別器３７、駆動回路３８、情報源４０より構成される。光ファイバー３０ａ、光受信デバイス３１、光導波路３４、光送信デバイス３２、光ファイバー３０ｂ 、光受信器３３は同一光軸上に配置されている。
【００３１】
光送信デバイス３２を波長λ２で送信させ、光受信デバイス３１は波長λ２より短い波長λ１の信号を受信させる。この構成の光伝送装置では、波長λ２は光受信デバイス３１を透過するので光送信デバイス３２の送信には影響がない。波長λ１および波長λ２より長い波長λ３の信号は光受信デバイス３１と光送信デバイス３２とを透過するので、光受信器３３は波長λ３の信号を受信させる。
【００３２】
この実施例では、１つの波長の伝送容量を送受信で分け合う必要がないため伝送容量の拡大が図れる。また、光デバイスのバンドギャップを動的に制御する必要がないため、回路が簡単になる利点がある。
【００３３】
(実施例４)
次に、図４を用いて本発明の実施例４を説明する。実施例４は波長多重された信号から１つの波長の信号を選択して受信する光チューナーの構成を示す図である。
本実施例は、光ファイバー４１、光受信デバイス４２、４３、光導波路４４、バイアス可変回路４５、４７、プリアンプ４６、ポストアンプ４８、識別器４９より構成される。
【００３４】
ここでは波長λの信号を受信する場合を説明する。複数の波長が多重された信号は光ファイバー４１を介して受信され、光受信デバイス４２に入力される。バイアス可変回路４５は、光受信デバイス４２が波長λより短い波長を吸収するバンドギャップを持つようなバイアス電圧を与える。したがって、波長λより短い波長は光受信デバイス４２にて吸収され、波長λおよびそれより波長の長い光が光導波路４４を経由して光受信デバイス４３に入力される。バイアス可変回路４７は、光受信デバイス４３が波長λより長い光を透過するバンドギャップを持つようなバイアス電圧を与える。したがって、波長λより長い波長は光受信デバイス４３を透過し、波長λのみが光受信デバイス４３にて吸収され電気信号に変換される。プリアンプ４６、ポストアンプ４８、識別器４９は変換された電気信号を整形する。
【００３５】
本実施例によれば、同一の構成ユニットで外部から受信波長を制御でき、同一の構成ユニットを大量生産できるため、低価格な光伝送装置を得ることができる効果がある。
【００３６】
また、図４の構成を拡張することで波長多重された信号から複数の波長の信号を同時に選択して受信できる。光受信デバイス４３、バイアス可変回路４７、プリアンプ４６、ポストアンプ４８、識別器４９の組合せを同時に選択する波長の数だけ準備して、光受信デバイス３２を縦続接続すれば、光伝送路である光ファイバ４１に近い順の光受信デバイス３２から、波長が短い光の順に受信できる。
【００３７】
この拡張した実施例によれば、同一の構成ユニットを縦続接続することで波長多重された信号から複数の波長の信号を同時に選択して受信できる。同一の構成ユニットは大量生産できるため、低価格な光伝送装置を得ることができる。
【００３８】
(実施例５)
次に、図５を用いて本発明の実施例５を説明する。
実施例５は１つの半導体基板上に波長の異なる複数の光デバイスを集積化した光送信デバイスの構成を示す図である。図５は光送信デバイスを光軸に平行に切った断面図を示している。
【００３９】
本実施例は、半導体基板５１上に形成したｎ型注入層５７、下部電極５０、ｎ型クラッド層５２、活性層５３、ｐ型クラッド層５４、ｐ型注入層５５、上部電極５６より構成される。
【００４０】
第１活性層５３ａ、第２活性層５３ｂ、第３活性層５３ｃからなる活性層５３が発光部に相当し、それぞれの発光波長である波長λ１、波長λ２、波長λ３が、波長λ１＞波長λ２＞波長λ３となるように、下部電極５０と上部電極５６との間の印加電圧を発光部ごとに変える。
【００４１】
第１上部電極５６ａから第１ｐ型注入層５５ａ、第１ｐ型クラッド層５４ａ、第１活性層５３ａ、ｎ型クラッド層５２ａ、ｎ型注入層５７ａ、下部電極５０ａを経由して注入される電流によって第１活性層５３ａは波長λ１で発光し、第１ｐ型クラッド層５４ａおよびｎ型クラッド層５２ａによって閉じこめられた光は矢印Ａに示す横方向に伝搬し、第２活性層５３ｂおよび第３活性層５３ｃを突き抜けて送信される。同様に、第２上部電極５６ｂから第２ｐ型注入層５５ｂ、第２ｐ型クラッド層５４ｂ、第２活性層５３ｂ、ｎ型クラッド層５２ｂ、ｎ型注入層５７ｂ、下部電極５０ｂを経由して注入される電流によって第２活性層５３ｂは波長λ２で発光し、第２ｐ型クラッド層５４ｂおよびｎ型クラッド層５２ｂによって閉じこめられた光は横方向に伝搬し、第３活性層５３ｃを突き抜けて送信される。さらに同様に、第３上部電極５６ｃから第３ｐ型注入層５５ｃ、第３ｐ型クラッド層５４ｃ、第３活性層５３ｃ、ｎ型クラッド層５２ｃ、ｎ型注入層５７ｃ、下部電極５０ｃを経由して注入される電流によって第３活性層５３ｃは波長λ３で発光し、第３ｐ型クラッド層５４ｃおよびｎ型クラッド層５２によって閉じこめられた光は横方向に送信される。
【００４２】
本実施例によれば、１つの半導体基板５１上に複数の発光部を形成することで、製造時に光軸が合わせられるため、光軸合わせの特別な工程が不要となるため、低価格な光伝送装置および光ネットワークを得ることができる効果がある。
【００４３】
(実施例６)
次に、図６を用いて本発明の実施例６を説明する。実施例６は１つの半導体基板上に波長の異なる複数の光デバイスを集積化した光受信デバイスの構成を示す図である。図６は光受信デバイスを光軸に平行に切った断面図を示している。
【００４４】
本実施例の構成は、図５の光送信デバイスの構成と全く同一であり、半導体基板５１上に形成したｎ型注入層５７、下部電極５０、ｎ型クラッド層５２、活性層５３、ｐ型クラッド層５４、ｐ型注入層５５、上部電極５６より構成される。
【００４５】
第１活性層５３ａ、第２活性層５３ｂ、第３活性層５３ｃからなる活性層５３が受光部に相当し、それぞれの受光波長である波長λ１、波長λ２、波長λ３が、波長λ１＞波長λ２＞波長λ３となるように、下部電極５０と上部電極５６との間の印加電圧を受光部ごとに変える。
【００４６】
第３下部電極５０ｃと第３上部電極５６ｃとの間の適切な電圧を設定することによって、第３活性層５３ｃは波長λ３の光を受光し、第３上部電極５６ｃから第３ｐ型注入層５５ｃ、第３ｐ型クラッド層５４ｃ、第３活性層５３ｃ、ｎ型クラッド層５２ｃ、ｎ型注入層５７ｃ、第３下部電極５０ｃを経由して受光電流を発生する、第３ｐ型クラッド層５４ｃおよびｎ型クラッド層５２ｃによって閉じこめられた光は矢印Ｂ方向に伝搬される。同様に第２下部電極５０ｂと第２上部電極５６ｂとの間の適切な電圧を設定することによって、第２活性層５３ｂは波長λ２の光を受光し、第２上部電極５６ｂから第２ｐ型注入層５５ｂ、第２ｐ型クラッド層５４ｂ、第２活性層５３ｂ、ｎ型クラッド層５２ｂ、ｎ型注入層５７ｂ、第３下部電極５０を経由して受光電流を発生する、第２ｐ型クラッド層５４ｂおよびｎ型クラッド層５２ｂによって閉じこめられた光は矢印Ｂ方向に伝搬される。さらに同様に、第１下部電極５０ａと第３上部電極５６ａとの間の適切な電圧を設定することによって、第３活性層５３ａは波長λ１の光を受光し、第３上部電極５６ａから第３ｐ型注入層５５ａ、第３ｐ型クラッド層５４ａ、第３活性層５３ａ、ｎ型クラッド層５２ａ、ｎ型注入層５７ａ、第３下部電極５０ａを経由して受光電流を発生する。
【００４７】
このように１つの半導体基板５１上に複数の受光部を形成することで、製造時に光軸が合わせられるため、光軸合わせの特別な工程が不要となるため、低価格な光伝送装置および光ネットワークを得ることができる効果がある。
【００４８】
(実施例７)
次に、図７を用いて本発明の実施例７を説明する。実施例７は１本の光ファイバーで並列信号を伝送する光バスに用いる光送信器および光受信器の構成を説明する図である。本実施例は、光ファイバ６１、光送信器６２、光受信器６３より構成される。
【００４９】
光送信器６２は、光送信デバイス６４、駆動回路７０、７１、７２、フリップフロップ７３、７４、情報源７５、制御信号源７６、クロック源７７より構成される。ここで、光送信デバイス６４は、第１発光部６５、第２発光部６６、第３発光部６７、光導波路６８、６９より構成される。
【００５０】
光受信器６３は光受信デバイス７８、プリアンプ８４、８５、８６、ポストアンプ８７、８８、８９、識別器９０、９１、９２、フリップフロップ９３、９４、利得制御回路９５より構成される。ここで、光受信デバイス７８は、第１受光部７９、第２受光部８０、第３受光部８１、光導波路８２、８３より構成される。
【００５１】
光送信デバイス６４および光受信デバイス７８として、図５および図６で説明した１チップ波長多重デバイスが適用できる。
【００５２】
情報源７５および制御信号源７６から発生する信号は、フリップフロップ７３、７４においてクロック源７７より発生するシステムクロックと同期され、駆動回路７０、７１、７２を介してそれぞれ第１発光部６５、第２発光部６６、第３発光部６７に電流を流し込む。第１発光部６５、第２発光部６６、第３発光部６７はそれぞれ波長λ１、波長λ２、波長λ３で発光するが、波長λ１、波長λ２、波長λ３の順で波長が長いという関係が成立している。こうして、３つの波長の信号が多重されて光ファイバー６１に送信される。一方、光ファイバー６１中を伝送された信号は光受信器６３に入力される。
【００５３】
波長λ１、波長λ２、波長λ３の信号はそれぞれ第１受光部７９、第２受光部８０、第３受光部８１で電気信号に変換される。その後プリアンプ８４、８５、８６、ポストアンプ８７、８８、８９、識別器９０、９１、９２にて波形整形される。識別器９０、９１の出力は、フリップフロップ９３、９４において識別器９２の出力であるシステムクロックで打ち抜かれ同期される。ここで、利得制御回路９５はクロックを増幅するポストアンプ８９の出力が一定になるように、ポストアンプ８７、８８、８９の利得を制御する。
【００５４】
クロックは常に“１”と“０”のレベルの繰り返しであり同符号連続が起きる恐れがないため、振幅検出および検出電圧維持が容易である。したがって、クロックを伝送する波長の受信信号振幅を基準に、ポストアンプの利得制御を行えば、高速制御でも簡単な回路で安定に実現できる。
【００５５】
本実施例では、振幅検出および検出電圧維持が容易であり、高速制御でも簡単な回路で安定に実現できる利点がある。
【００５６】
また、複数の情報源の信号をさらに多重するには、駆動回路７０、フリップフロップ７３、第１発光部６５、第１受光部７９、プリアンプ８４、ポストアンプ８７、識別器９０、フリップフロップ９３を複数備えることで実現できる。
【００５７】
さらに、データ、制御信号、システムクロック等の複数の信号を１本の光ファイバーで伝送できるので、配線が大幅に簡略化される利点がある。これに加えて、複数の信号を高速クロックで時分割多重する方法に比べて、高速のクロックが不要なため低コストで実現できる効果がある。
【００５８】
(実施例８)
次に、図８を用いて本発明の実施例８を説明する。図８は波長多重を用いたスター型ネットワークの構成を説明する図である。
【００５９】
本実施例は、光送信器１０１、１０２、１０３、光ファイバー１０４、１０５、１０６、１０７、１０８、１０９、スターカプラ１１０、光受信器１１１、１１２、１１３より構成される。
【００６０】
光送信器１０１は光送信デバイス１１４、駆動回路１１５および情報源１１６より構成され、光送信器１０２、１０３も同様に構成される。
【００６１】
光受信器１１３は、光受信デバイス１２３、プリアンプ１２９、１３０、ポストアンプ１３１、１３２、識別器１３３、１３４、バイアス可変回路１３５、１３６、局監視制御信号解釈回路１３７、ユーザー制御信号解釈回路１３８、波長選択信号発生回路１３９より構成される。ここで、光受信デバイス１２３は第１受光部１２４、第２受光部１２５、第３受光部１２６、光導波路１２７、１２８より構成される。
【００６２】
情報源１１６、１１９、１２２の信号はそれぞれ駆動回路１１５、１１８、１２１を介して光送信デバイス１１４、１１７、１２０に与えられ、それぞれ波長λ１、波長λ２、波長λ３で送信される。すなわち光送信器１０１、１０２、１０３の順に波長が多重されて３波長の多重信号が生成される。この時、波長λ１＞波長λ２＞波長λ３の関係が成立している。波長多重された信号は、光ファイバー１０６中を伝送され、スターカプラ１１０で複数に分岐され、光ファイバー１０７、１０８、１０９を介して光受信器１１１、１１２、１１３まで伝送される。
【００６３】
以下代表して光受信器１１３の動作を説明する。波長多重された信号は光受信デバイス１２３に入力される。光受信デバイス１２３として、図６で説明した１チップ波長多重デバイスが適用できる。第３受光部１２６のバンドギャップは常に波長λ３を吸収し、波長λ２およびλ１を透過するように設定されている。
【００６４】
ユーザーが波長λ１のサービスの受信を希望する場合、ユーザーの指示はユーザー制御信号解釈回路１３８に与えられてサービスに対応した波長λ１という情報が抽出され、波長選択信号発生回路１３９に転送される。波長選択信号発生回路１３９は、バイアス可変回路１３５を制御して第２受光部１２５のバンドギャップを波長λ２を吸収し、波長λ１を透過するように設定する。また、波長選択信号発生回路１３９は、バイアス可変回路１３６を制御して第１受光部１２４のバンドギャップを波長λ１を吸収するように設定する。第１受光部１２４にて吸収された波長λ１の信号は電気信号に変換され、プリアンプ１２９、ポストアンプ１３１および識別器１３３によって波形整形された後、ユーザーに提供される。
【００６５】
また、波長λ３の信号はユーザーが直接必要としない場合でも、監視制御のための信号チャネルとして、プリアンプ１３０、ポストアンプ１３２および識別器１３４によって波形整形された後、局監視制御信号解釈回路１３７へ送られる。この後、光送信器１０２に光受信器１１３に送信したい情報が発生した場合、情報源１１９より情報源１２２に光受信器１１３との接続要求（矢印Ｃ）が伝えられ、情報源１２２は波長λ３を用いて、光受信器１１３に波長λ２の受信要求を伝える。波長λ３の信号は、第３受光部１２６にて電気信号に変換されプリアンプ１３０、ポストアンプ１３２および識別器１３４によって波形整形された後、局監視制御信号解釈回路１３７へ送られるため、前記波長λ２の受信要求は局監視制御信号解釈回路１３７へ転送される。局監視制御信号解釈回路１３７からの波長λ２の受信要求と、ユーザー制御信号解釈回路１３８からの波長λ１の受信要求は、波長選択信号発生回路１３９にて優先度が比較される。波長λ２の優先度が高ければ、波長選択信号発生回路１３９は、バイアス可変回路１３５を制御して第２受光部１２５のバンドギャップを波長λ２およびλ１を透過するように設定する。また、波長選択信号発生回路１３９は、バイアス可変回路１３６を制御して第１受光部１２４のバンドギャップを波長λ２を吸収し、λ１を透過するように設定する。第１受光部１２４にて吸収された波長λ２の信号は電気信号に変換され、プリアンプ１２９、ポストアンプ１３１および識別器１３３によって波形整形された後、ユーザーに提供される。
【００６６】
本実施例によれば、波長の数だけ受信デバイスを備えなくとも複数波長の選択受信が可能となるため、経済的であるという効果がある。また、多波長を用いれば波長ごとにサービスに最適な信号形式をとることができ、アナログ信号形式またはディジタル信号形式の選択も自由である。しかも、伝送装置を光ファイバーで縦列に接続するだけで新たな波長の伝送サービスを追加できるため、サービスの拡張、マルチプロバイダーの混在が容易で柔軟性に優れる利点がある。さらに、１つの波長にたくさんのサービスを詰め込まず、多波長を使いながら１波長当たりの信号帯域を小さく抑えることができるため、受信器の帯域を絞り込んで受光感度を高め長距離伝送が可能となる利点もある。
【００６７】
ここでは、波長多重された信号の中で最も短い波長λ３を制御信号として用いる例を説明した。最も短い波長を用いると受光部の数は３つで十分であり、最も数が少なくなる利点がある。逆に最も長い波長を用いる実現方法もある。この場合、受信光デバイス１２３は４つの受光部を備え、受信端に最も近い受光部で選択波長より短い波長を吸収し、２番目に近い受光部で選択波長を吸収し、３番目に近い受光部で制御波長より短い波長を吸収し、４番目の受光部で制御波長を吸収させる。制御波長は最も長い波長なので途中のすべての受光部を透過させられる。
【００６８】
制御波長が最も長くもなく、最も短くもない波長であれば、必要な受光部は、制御波長より短い波長選択用に２つ、制御波長のみの受信のために２つ、制御波長より長い波長選択用に２つの計６つになる。
【００６９】
(実施例９)
次に、図９を用いて本発明の実施例９を説明する。図９は波長多重を用いたリング型ネットワークの構成を説明する図である。
本実施例は、端末１４１、１４２、１４３、１４４、光カプラ１４５、１４６、１４７、１４８、光ファイバー１４９、１５０、１５１、１５２、１５３、１５４、１５５、１５６、１５７、１５８、１５９、１６０より構成される。
また、端末１４１は送信器１６１および受信器１６２から構成され、さらに送信器１６１は光送信デバイス１６３、駆動回路１６７、１６８、バイアス可変回路１６９、情報源１７０、制御信号源１７１、送信波長選択信号発生回路１７２より構成され、受信器１６２は光受信デバイス１７３、プリアンプ１７７、１７８、ポストアンプ１７９、１８０、識別器１８１、１８２、バイアス可変回路１８３、１８４、局監視制御信号解釈回路１８５、ユーザー制御信号解釈回路１８６、受信波長選択信号発生回路１８７より構成される。光送信デバイス１６３は第１発光部１６４、第２発光部１６５より構成され、光受信デバイス１７３は第１受光部１７４、第２受光部１７５、第３受光部１７６より構成される。
【００７０】
まず、端末１４１が端末１４３へ信号を送信する動作を説明する。各端末の送信信号の波長は、端末に識別番号が与えられた時点で識別番号に対応して固定的に決定される。以下、端末１４１の送信波長をλ２として説明する。バイアス可変回路１６９は駆動回路１６７を介して第１発光部１６４が波長λ２のバンドギャップを持つようにバイアス電圧を与える。情報源１７０の信号は駆動回路１６７から第１発光部１６４に与えられ、波長λ２の信号が送信される。同時に制御信号源１７１は端末１４３の識別番号と波長λ２の受信要求信号を発生し、駆動回路１６８から第２発光部１６５に与える。第２発光部１６５は、ネットワーク内のすべての端末の情報信号送信波長より短い波長λ１で信号を送信する。したがって、光送信器１４１は波長λ１およびλ２の信号を多重して光ファイバー１４９へ送信する。
【００７１】
この信号は光カプラ１４５を介して、光ファイバー１５１、１５５、１５８、１５２を順に伝搬してリングネットワークを１周する。同時に、光カプラ１４６および光ファイバー１５３、光カプラ１４７および光ファイバー１５６、光カプラ１４８および光ファイバー１５９、光カプラ１４５および光ファイバー１５０を介して、それぞれ端末１４２、１４３、１４４、１４１まで伝送される。端末１４２、１４３、１４４、１４１はそれぞれ波長λ１の信号の内容を解釈し、端末１４３のみが自分の識別番号を発見するため、波長λ２の受信要求にしたがって波長λ２に同調し、信号を受信する。
【００７２】
次に、端末１４１が端末１４３からの信号を受信する動作を説明する。端末１４３は自分の識別番号から固定的に決められた波長で信号を送信する。以下、この波長をλ３とする。同時に端末１４３は波長λ１を用いて端末１４１の識別番号と波長λ３の受信要求信号を光ファイバー１５７へ送信する。この信号は光カプラ１４７を介して、光ファイバー１５８、１５２、１５１、１５５を順に伝搬してリングネットワークを１周する。同時に、光カプラ１４８および光ファイバー１５９、光カプラ１４５および光ファイバー１５０、光カプラ１４６および光ファイバー１５３、光カプラ１４７および光ファイバー１５６を介して、それぞれ端末１４４、１４１、１４２、１４３まで伝送される。端末１４１の受信器１６２が受信した信号は光受信デバイス１７３に入力される。第３受光部１７６は波長λ１より短いすべての波長の光を吸収するようなバンドギャップが与えられている。したがって、第３受光部１７６にて波長λ１の信号のみが電気信号に変換されてプリアンプ１７８、ポストアンプ１８０および識別器１８２によって波形整形された後、局監視制御信号解釈回路１８５へ送られる。局監視制御信号解釈回路１８５は信号内に端末１４１の識別番号と波長λ３の受信要求信号を発見する。続いて、受信波長選択信号発生回路１８７はバイアス可変回路１８４を制御し、第２受光部１７５に波長λ３より短いすべての波長の光を吸収し、波長λ３を透過するようなバンドギャップを与える。同時にバイアス可変回路１８３を制御し、第１受光部１７４に波長λ３を吸収し、それより長い波長の光を透過するようなバンドギャップを与える。こうして、波長λ３の信号のみが第１受光部１７４にて電気信号に変換され、プリアンプ１７７、ポストアンプ１７９および識別器１８１によって波形整形されて受信が完了する。
【００７３】
本実施例によれば、波長の数だけ受信デバイスを備えなくとも複数波長の選択受信が可能となるため、経済的であるという効果がある。また、多波長を用いれば波長ごとにサービスに最適な信号形式をとることができ、アナログ信号形式またはディジタル信号形式の選択も自由である。さらに、１つの波長にたくさんのサービスを詰め込まず、多波長を使いながら１波長当たりの信号帯域を小さく抑えることができるため、受信器の帯域を絞り込んで受光感度を高め長距離伝送が可能となる利点もある。
【００７４】
ここでは、波長多重された信号の中で最も短い波長λ１を制御信号として用いる例を説明した。最も短い波長を用いると受光部の数は３つで十分であり、最も数が少なくなる利点がある。逆に最も長い波長を用いる実現方法もある。この場合、受信光デバイス１７３は４つの受光部を備え、受信端に最も近い受光部で選択波長より短い波長を吸収し、２番目に近い受光部で選択波長を吸収し、３番目に近い受光部で制御波長より短い波長を吸収し、４番目の受光部で制御波長を吸収させる。制御波長は最も長い波長なので途中のすべての受光部を透過させられる。
【００７５】
制御波長が最も長くもなく、最も短くもない波長であれば、必要な受光部は、制御波長より短い波長選択用に２つ、制御波長のみの受信のために２つ、制御波長より長い波長選択用に２つの計６つになる。
【００７６】
（実施例１０）
さらに図１０用いて、実施例１０においてリングネットワーク中の１台の端末を波長の割り当てを行う親局とする構成例を説明する。
この構成例が、図９に示した実施例９と異なる点は、各端末内の波長選択信号発生回路１８７がバイアス可変回路１８３、１８４だけでなく、第１発光部１６４用のバイアス可変回路１６９をも制御する機能を備えていることである。
【００７７】
親局を端末１４２として、子局端末１４１が子局端末１４３へ信号を送信する場合を考えよう。最初に制御信号伝送用波長λ１で親局である端末１４２に“端末１４１から端末１４３への信号伝送要求が発生したこと”を伝える。親局である端末１４２は、ネットワーク内で使用されていない波長から１つを選び、その波長を制御信号伝送用波長λ１を用いて端末１４１および端末１４３へ伝える。伝えられた波長を以下λ２とする。端末１４１内の波長選択信号発生回路１８７はバイアス可変回路１６９を制御して、第１発光部１６４を波長λ２で発光させ信号を送信する。一方、端末１４３内の波長選択信号発生回路１８７はバイアス可変回路１８３、１８４を制御して、第２受光部で波長λ２より大きい波長を吸収させると共に波長λ２を透過させ、また第１受光部で波長λ２を吸収させる。こうして波長λ２の信号が端末１４３のユーザーに送られる。
【００７８】
本実施例によれば、ネットワーク内で波長多重される波長数のリンクを同時に張ることができるため、実施例９で述べた効果の他に、１リンク当たりの容量を大きくとれるという利点がある。
【００７９】
【発明の効果】
以上詳述したように本発明によれば、光損失のない光伝送装置および光ネットワークを提供することができる。また、本発明によれば、低価格な光伝送装置および光ネットワークを提供することができる。さらに、本発明によれば、波長多重伝送において、システムの拡充性に優れた光伝送装置および光ネットワークを提供することができる。
【図面の簡単な説明】
【図１】  本発明の実施例１の１本の光ファイバーで送信および受信を行う光伝送装置の構成を示す図である。
【図２】  本発明の実施例２の１本の光ファイバーで送信および受信を行う光伝送装置の構成を示す図である。
【図３】  本発明の実施例３の１本の光ファイバーで送信および受信を行う光伝送装置の構成を示す図である。
【図４】  本発明の実施例４の波長多重された信号から１つの波長の信号を選択して受信する光チューナーの構成を示す図である。
【図５】  本発明の実施例５の１つの半導体基板上に波長の異なる複数の光デバイスを集積化した光送信デバイスの構成を示す図である。
【図６】  本発明の実施例６の１つの半導体基板上に波長の異なる複数の光デバイスを集積化した光受信デバイスの構成を示す図である。
【図７】  本発明の実施例７の１本の光ファイバーで並列信号を伝送する光バスに用いる光送信器および光受信器の構成を説明する図である。
【図８】  本発明の実施例８の波長多重を用いたスター型ネットワークの構成を説明する図である。
【図９】  本発明の実施例９の波長多重を用いたリング型ネットワークの構成を説明する図である。
【図１０】  本発明の実施例１０の波長多重を用いたリング型ネットワークの構成を説明する図である。
【符号の説明】
１…光送信デバイス、２…光送信デバイス、３…光送信デバイス、４…光ファイバー、５、６…光導波路、７、８、９…駆動回路、１０、１１、１２…情報源、１３…光受信デバイス、１４…光受信デバイス、１５…光受信デバイス、１６…光ファイバー、１７、１８…光導波路、１９、２０、２１…プリアンプ、２２、２３、２４…ポストアンプ、２５、２６、２７…識別器、３０ａ、３０ｂ…光ファイバー、３１…光受信デバイス、３２…光送信デバイス、３３…光受信器、３４…光導波路、３５…プリアンプ、３６…ポストアンプ、３７…識別器、３８…駆動回路、３９…バイアス可変回路、４０…情報源、４１…光ファイバー、４２、４３…光受信デバイス、４４…光導波路、４５、４７…バイアス可変回路、４６…プリアンプ、４８…ポストアンプ、４９…識別器、５０…下部電極、５１…半導体基板、５２…ｎ型クラッド層、５３…活性層、５４…ｐ型クラッド層、５５…ｐ型注入層、５６…上部電極、６１…光受信デバイス、６２…光送信器、６３…光受信器、６４…光送信デバイス、６５…第１発光部、６６…第２発光部、６７…第３発光部、６８、６９…光導波路、７０、７１、７２…駆動回路、７３、７４…フリップフロップ、７５…情報源、７６…制御信号源、７７…クロック源、７８…光受信デバイス、７８…光受信デバイス、７９…第１受光部、８０…第２受光部、８１…第３受光部、８２、８３…光導波路、８４、８５、８６…プリアンプ、８７、８８、８９…ポストアンプ、９０、９１、９２…識別器、９３、９４…フリップフロップ、９５…利得制御回路、１０１、１０２、１０３…光送信器、１０４、１０５、１０６、１０７、１０８、１０９…光ファイバー、１１０…スターカプラ、１１１、１１２、１１３…光受信器、１１４…光送信デバイス、１１５…駆動回路、１１６…情報源、１１７…光送信デバイス、１１８…駆動回路、１１９…情報源、１２０…光送信デバイス、１２１…駆動回路、１２２…情報源、１２３…光受信デバイス、１２４…第１受光部、１２５…第２受光部、１２６…第３受光部、１２７、１２８…光導波路、１２９、１３０…プリアンプ、１３１、１３２…ポストアンプ、１３３、１３４…識別器、１３５、１３６…バイアス可変回路、１３７…局監視制御信号解釈回路、１３８…ユーザー制御信号解釈回路、１３９…波長選択信号発生回路、１４１、１４２、１４３、１４４…端末、１４５、１４６、１４７、１４８…光カプラ、１４９、１５０、１５１、１５２、１５３、１５４、１５５、１５６、１５７、１５８、１５９、１６０…光ファイバー、１６１…送信器、１６２…受信器、１６３…光送信デバイス、１６４…第１発光部、１６５…第２発光部、１６７、１６８…駆動回路、１６９…バイアス可変回路、１７０…情報源、１７１…制御信号源、１７２…送信波長選択信号発生回路、１７３…光受信デバイス、１７４…第１受光部、１７５…第２受光部、１７６…第３受光部、１７７、１７８…プリアンプ、１７９、１８０…ポストアンプ、１８１、１８２…識別器、１８３、１８４…バイアス可変回路、１８５…局監視制御信号解釈回路、１８６…ユーザー制御信号解釈回路、１８７…受信波長選択信号発生回路。
【図１】
0003697319.tif 000002
【図２】
0003697319.tif 000003
【図３】
0003697319.tif 000004
【図４】
0003697319.tif 000005
【図５】
0003697319.tif 000006
【図６】
0003697319.tif 000007
【図７】
0003697319.tif 000008
【図８】
0003697319.tif 000009
【図９】
0003697319.tif 000010
【図１０】
0003697319.tif 000011